(57)【特許請求の範囲】
【請求項１】
所定の垂直画素数が設定された表示部に対して前記垂直画素数よりも少ない垂直画素数を有する映像信号を拡大表示する際に、水平同期信号の立ち上がりのタイミングと一水平期間を３等分した際の１／３時間目のタイミングの２つのタイミングで立ち上がるパルスを有するオリジナル・クロックパルス信号に加え一水平期間を３等分した際の２／３時間目のタイミングで立ち上がるパルスを有する複製用の第２のクロックパルス信号を一水平期間内に発生させ、これらクロックパルス信号の発生を一水平期間毎に繰り返すパルス発生手段と、該パルス発生手段からの前記クロックパルス信号を受け入れて、前記オリジナル・クロックパルス信号中の全てのパルスと前記第２のクロックパルス信号中の前記表示部の垂直画素数から前記映像信号の垂直画素数を減じた数分のパルスとを重畳したパルスを有するゲートクロック信号を発生させるゲートクロック発生手段と、該ゲートクロック発生手段からの前記ゲートクロック信号を受け入れて、前記ゲートクロック信号中の各パルスに対応してそれぞれが異なるタイミングでハイレベルとなり、かつ、このハイレベル期間の長さが等しい複数のゲート駆動信号を発生させるゲート駆動手段とを具備した駆動回路を有することを特徴とする表示装置。
【請求項２】
前記表示装置がＴＦＴ型液晶表示装置であり、該ＴＦＴ型液晶表示装置の前記表示部の各画素に、ゲート線と前記各画素に対応する画素電極とからなる蓄積容量が設けられたことを特徴とする請求項１に記載の表示装置。
【請求項３】
所定の垂直画素数が設定された表示部に対して映像信号を表示する際に、水平同期信号の立ち上がりのタイミングと一水平期間を２等分した際の１／２時間目のタイミングの２つのタイミングで立ち上がるパルスを有するオリジナル・クロックパルス信号に加え該オリジナル・クロックパルス信号と同一のパルス幅である間引き用の第２のクロックパルス信号を一水平期間内に発生させ、これらクロックパルス信号の発生を一水平期間毎に繰り返すパルス発生手段と、該パルス発生手段からの前記クロックパルス信号を受け入れて、前記オリジナル・クロックパルス信号中の全てのパルスと前記映像信号の垂直画素数から前記表示部の垂直画素数を減じた数分の前記第２のクロックパルス信号のパルスとを重畳したパルスを有するゲートクロック信号を発生させるゲートクロック発生手段と、該ゲートクロック発生手段からの前記ゲートクロック信号を受け入れて、前記ゲートクロック信号中の各パルスに対応してそれぞれが異なるタイミングでハイレベルとなり、かつ、このハイレベル期間の長さが等しい複数のゲート駆動信号を発生させるゲート駆動手段とを具備した駆動回路を有することを特徴とする表示装置。
【請求項４】
前記表示装置がＴＦＴ型液晶表示装置であり、該ＴＦＴ型液晶表示装置の前記表示部の各画素に、ゲート線と前記各画素に対応する画素電極とからなる蓄積容量が設けられたことを特徴とする請求項４に記載の表示装置。
【請求項５】
水平同期信号の立ち上がりのタイミングと一水平期間を３等分した際の１／３時間目のタイミングの２つのタイミングで立ち上がるパルスを有するオリジナル・クロックパルス信号に加え一水平期間を３等分した際の２／３時間目のタイミングで立ち上がるパルスを有する複製用クロックパルス信号を一水平期間内に発生させ、これらクロックパルス信号の発生を一水平期間毎に繰り返すコピーパルス発生回路と、該コピーパルス発生回路からの前記クロックパルス信号を受け入れて、前記オリジナル・クロックパルス信号中の全てのパルスと前記複製用クロックパルス信号中の前記表示部の垂直画素数から前記映像信号の垂直画素数を減じた数分のパルスとを重畳したパルスを有するゲートクロック信号を発生させるゲートクロック発生手段と、水平同期信号の立ち上がりのタイミングと一水平期間を２等分した際の１／２時間目のタイミングの２つのタイミングで立ち上がるパルスを有するオリジナル・クロックパルス信号に加え該オリジナル・クロックパルス信号と同一のパルス幅である間引き用クロックパルス信号を一水平期間内に発生させ、これらクロックパルス信号の発生を一水平期間毎に繰り返す間引きパルス発生回路と、該間引きパルス発生回路からの前記クロックパルス信号を受け入れて、前記オリジナル・クロックパルス信号中の全てのパルスと前記映像信号の垂直画素数から前記表示部の垂直画素数を減じた数分の前記間引き用クロックパルス信号のパルスとを重畳したパルスを有するゲートクロック信号を発生させるゲートクロック発生手段と、前記各ゲートクロック発生手段からの前記ゲートクロック信号を受け入れて、前記ゲートクロック信号中の各パルスに対応してそれぞれが異なるタイミングでハイレベルとなり、かつ、このハイレベル期間の長さが等しい複数のゲート駆動信号を発生させるゲート駆動手段と、前記コピーパルス発生回路側と前記間引きパルス発生回路側のいずれの信号経路を前記ゲート駆動手段に接続するかを切り換えるための切り換えスイッチとを具備した駆動回路を有することを特徴とする表示装置。
【請求項６】
前記表示装置がＴＦＴ型液晶表示装置であり、該ＴＦＴ型液晶表示装置の前記表示部の各画素に、ゲート線と前記各画素に対応する画素電極とからなる蓄積容量が設けられたことを特徴とする請求項５に記載の表示装置。
【発明の詳細な説明】
【０００１】
【発明の属する技術分野】
本発明は、表示装置に関し、特に、装置に入力される映像信号の垂直画素数と装置の表示部の垂直画素数が異なる場合に映像信号を拡大・縮小表示し得る機能を持つ画像表示装置に関するものである。
【０００２】
【従来の技術】
例えばパーソナルコンピュータ用等の画像表示装置においては、表示パネルの画素数に規格が定められており、ＶＧＡ規格、ＳＶＧＡ規格、ＸＧＡ規格、ＳＸＧＡ規格、ＵＸＧＡ規格（ただし、ＶＧＡ、ＳＶＧＡ、ＸＧＡ、ＳＸＧＡ、ＵＸＧＡはいずれもＩＢＭ社登録商標）等が代表的なものとして広く知られている。ところが、ＶＧＡ用の映像信号からなる画像をＸＧＡ規格の表示パネルに表示するというように、装置に入力される映像信号の画素数と表示パネルの画素数が異なる場合もあり、その場合、映像信号を表示パネル上に拡大または縮小して表示する必要がある。
【０００３】
例えば、垂直方向への拡大表示を実現する場合、拡大表示したい領域のデータをメモリに記憶し、同じデータを表示装置の複数のラインに書き込む方式が従来から採られていた。しかしながら、この方式ではメモリ、Ａ／Ｄ変換器等の周辺機器が必要となり、装置が大型化、複雑化するため、これらの周辺機器を用いない拡大表示方法として以下のようなものが提案されている。
【０００４】
この種の拡大表示機能を持つ画像表示装置では、ゲートドライバ内で通常表示あるいは拡大表示のいずれかを示すモード信号が設定され、１ラインの画像データが出力される一水平期間内に上記モード信号の種類に応じて１本のゲート線の駆動あるいは複数本のゲート線の駆動を切り替えるようになっている。したがって、一水平期間に駆動されるゲート線が１本であれば通常表示となり、一水平期間内に複数本のゲート線が同時に駆動されると、表示画面上では１ライン分の同一の画像データが複数ラインに表示されることになり、垂直方向への拡大表示が行われる。図４はこの画像表示装置におけるゲートドライバの動作を示すタイミングチャートであり、図４（Ａ）は通常モード時のタイミングチャート、図４（Ｂ）は拡大モードの２倍表示時のタイミングチャートをそれぞれ示している。図４（Ｂ）においては、Ｘ１とＸ２、Ｘ３とＸ４の隣接する２ラインのゲート出力波形が同一となる。
【０００５】
【発明が解決しようとする課題】
ところで、液晶表示装置等においては、一走査期間中に電荷を保持するために各画素に補助容量（ＣＳ  ）を付加する手法が一般的に用いられる。補助容量の構成にはいくつか種類が考えられるが、補助容量を構成するための容量電極を用いることなく、開口率を低下させない方法として、画素電極とゲート線を重ね合わせたレイアウトとし、これら画素電極とゲート線で補助容量を構成する、いわゆるＣＳ  オンゲート構造と呼ばれる補助容量の構造がある。
【０００６】
しかしながら、ＣＳ  オンゲート構造の補助容量を持つ液晶表示装置に対して上記の拡大表示技術を適用することは不可能であった。なぜならば、ＣＳ  オンゲート構造では、１つの画素を駆動するゲート線に隣接するゲート線がその画素の補助容量の一方の電極となるため、１本のゲート線に接続された画素に対して書き込みを行う（ゲート出力波形がハイレベルとなる）際には、隣接するゲート線でのゲート出力波形がローレベルとなっていないと補助容量が機能しないことになる。ところが、上記の拡大表示法は、隣接する２本のゲート線のゲート出力波形を同一とするものであるから、補助容量が機能しなくなってしまうからである。
【０００７】
本発明は、上記の課題を解決するためになされたものであって、ＣＳ  オンゲート構造の補助容量を持つ液晶表示装置等の画像表示装置に対しても支障なく適用し得る拡大表示・縮小表示機能を有する表示装置を提供することを目的とする。
【０００８】
【課題を解決するための手段】
上記の目的を達成するために、拡大表示機能を有する本発明の表示装置は、所定の垂直画素数が設定された表示部に対して前記垂直画素数よりも少ない垂直画素数を有する映像信号を拡大表示する際に、水平同期信号の立ち上がりのタイミングと一水平期間を３等分した際の１／３時間目のタイミングの２つのタイミングで立ち上がるパルスを有するオリジナル・クロックパルス信号に加え一水平期間を３等分した際の２／３時間目のタイミングで立ち上がるパルスを有する複製用の第２のクロックパルス信号を一水平期間内に発生させ、これらクロックパルス信号の発生を一水平期間毎に繰り返すパルス発生手段と、該パルス発生手段からの前記クロックパルス信号を受け入れて、前記オリジナル・クロックパルス信号中の全てのパルスと前記第２のクロックパルス信号中の前記表示部の垂直画素数から前記映像信号の垂直画素数を減じた数分のパルスとを重畳したパルスを有するゲートクロック信号を発生させるゲートクロック発生手段と、該ゲートクロック発生手段からの前記ゲートクロック信号を受け入れて、前記ゲートクロック信号中の各パルスに対応してそれぞれが異なるタイミングでハイレベルとなり、かつ、このハイレベル期間の長さが等しい複数のゲート駆動信号を発生させるゲート駆動手段とを具備した駆動回路を有することを特徴とするものである。
【０００９】
拡大表示機能を有する本発明の表示装置の駆動回路においては、まず、パルス発生手段にて一水平期間内にオリジナル・クロックパルス信号と複製用の第２のクロックパルス信号とを発生させ、これらクロックパルス信号の発生を一水平期間毎に繰り返す。次に、ゲートクロック発生手段では、表示部の垂直画素数に対応したパルスを持つゲートクロック信号を発生させるために、全数のオリジナル・クロックパルス信号と表示部の垂直画素数から映像信号の垂直画素数を減じた数分の第２のクロックパルス信号とを重畳したゲートクロック信号を発生させるようにする。次に、ゲート駆動手段には、ゲートクロック発生手段からのゲートクロック信号が入力され、ゲートクロック信号中の各パルスに対応してそれぞれが異なるタイミングでハイレベルとなり、かつ、このハイレベル期間の長さが等しい複数のゲート駆動信号を発生させる。
【００１０】
このような作用により、一水平期間内に複数本のゲート線が駆動されることになり、表示部上では１ライン分の同一の映像データが複数ラインに表示されることになるため、表示部の垂直画素数に対応した拡大表示が行われる。
この際、複数本のゲート線を駆動する複数のゲート駆動信号はそれぞれが異なるタイミングでハイレベルとなり、従来の拡大表示法のように隣接する２本のゲート線が全く同時にハイレベルとなることがないため、ＣＳ  オンゲート構造の補助容量を持つ画像表示装置に対しても支障なく適用することができる。さらに、上記複数のゲート駆動信号はハイレベル期間の長さが等しいため、表示部に画像ムラが生じることがない。
【００１１】
一方、本発明の表示装置は、所定の垂直画素数が設定された表示部に対して映像信号を表示する際に、水平同期信号の立ち上がりのタイミングと一水平期間を２等分した際の１／２時間目のタイミングの２つのタイミングで立ち上がるパルスを有するオリジナル・クロックパルス信号に加え該オリジナル・クロックパルス信号と同一のパルス幅である間引き用の第２のクロックパルス信号を一水平期間内に発生させ、これらクロックパルス信号の発生を一水平期間毎に繰り返すパルス発生手段と、該パルス発生手段からの前記クロックパルス信号を受け入れて、前記オリジナル・クロックパルス信号中の全てのパルスと前記映像信号の垂直画素数から前記表示部の垂直画素数を減じた数分の前記第２のクロックパルス信号のパルスとを重畳したパルスを有するゲートクロック信号を発生させるゲートクロック発生手段と、該ゲートクロック発生手段からの前記ゲートクロック信号を受け入れて、前記ゲートクロック信号中の各パルスに対応してそれぞれが異なるタイミングでハイレベルとなり、かつ、このハイレベル期間の長さが等しい複数のゲート駆動信号を発生させるゲート駆動手段とを具備した駆動回路を有することを特徴とするものである。
【００１２】
縮小表示機能を有する本発明の表示装置の駆動回路においては、まず、パルス発生手段にて一水平期間内にオリジナル・クロックパルス信号と間引き用の第２のクロックパルス信号とを発生させ、これらクロックパルス信号の発生を一水平期間毎に繰り返す。次に、ゲートクロック発生手段では、表示部の垂直画素数に対応したパルスを持つゲートクロック信号を発生させるために、全数のオリジナル・クロックパルス信号と映像信号の垂直画素数から表示部の垂直画素数を減じた数分の第２のクロックパルス信号とを重畳したゲートクロック信号を発生させるようにする。ここでの「重畳する」という意味は、第２のクロックパルス信号にインバータを入れて「ＮＯＴ」を取り、その結果とオリジナル・クロックパルス信号との「ＡＮＤ」を取るという意味である。これにより、オリジナル・クロックパルス信号中のパルスが一部間引かれたパルスを持つゲートクロック信号が生成される。次に、ゲート駆動手段には、ゲートクロック発生手段からのゲートクロック信号が入力され、ゲートクロック信号中の各パルスに対応してそれぞれが異なるタイミングでハイレベルとなり、かつ、このハイレベル期間の長さが等しい複数のゲート駆動信号を発生させる。
【００１３】
このような作用により、結果として表示部の所定の垂直画素数と同一の垂直画素数を有する際に発生されるオリジナル・クロックパルス信号の一部が間引かれることになり、表示部の垂直画素数に対応した縮小表示が行われる。
この際、複数本のゲート線を駆動する複数のゲート駆動信号はそれぞれが異なるタイミングでハイレベルとなるため、ＣＳ  オンゲート構造の補助容量を持つ画像表示装置に対しても支障なく適用できるという効果、上記複数のゲート駆動信号のハイレベル期間の長さが等しいため、表示部に画像ムラが生じないという効果に関しては、拡大表示の場合と同様である。
なお、本発明において、「拡大表示」または「縮小表示」というのは、垂直方向に関する拡大または縮小のことであり、水平方向の拡大または縮小は意味しない。
【００１４】
一般に、表示装置の駆動方法には、複数のゲート線を上から下に順次駆動していく線順次駆動と、１フレームを偶数フィールドと奇数フィールドに分け、各フィールドでゲート線を飛び越しながら交互に駆動するインターレス駆動がある。さらに、線順次駆動には、一水平期間内に隣接する２本のゲート線を駆動することにより全ゲート線を２倍の速度で駆動する倍速線順次駆動という方法がある。本発明は、特に倍速線順次駆動の表示装置に用いて好適なものである。
すなわち、倍速線順次駆動の場合、一水平期間内に２本のゲート線を駆動するため、本発明で言うところのオリジナルクロックパルス信号が一水平期間内に２個ずつのパルスを持つ形態になっている。したがって、特に縮小表示の場合、これらパルスの一部を間引くのみによって、表示部の垂直画素数に対応した数のパルスを持つゲートクロック信号を容易に生成することができるからである。倍速線順次駆動で拡大表示に対応できることも勿論である。
【００１５】
この観点から、本発明はＴＦＴ型液晶表示装置に適用できるのみならず、他の方式の液晶表示装置に適用することも可能である。例えば、倍速線順次駆動をＳＴＮ型液晶表示装置に対応させることは可能であるが、ＳＴＮ型液晶表示装置の応答速度はＮＴＳＣやＰＡＬのフレーム周波数に比べて遅いため、現状ではＮＴＳＣ、ＰＡＬ等のビデオ表示には向かないと考えられる。しかしながら、応答速度の速い強誘電液晶（ＦＬＣＤ）や反強誘電液晶（ＡＦＬＣＤ）には応用可能であると考えられる。
【００１６】
また、本発明の他の表示装置は、水平同期信号の立ち上がりのタイミングと一水平期間を３等分した際の１／３時間目のタイミングの２つのタイミングで立ち上がるパルスを有するオリジナル・クロックパルス信号に加え一水平期間を３等分した際の２／３時間目のタイミングで立ち上がるパルスを有する複製用クロックパルス信号を一水平期間内に発生させ、これらクロックパルス信号の発生を一水平期間毎に繰り返すコピーパルス発生回路と、該コピーパルス発生回路からの前記クロックパルス信号を受け入れて、前記オリジナル・クロックパルス信号中の全てのパルスと前記複製用クロックパルス信号中の前記表示部の垂直画素数から前記映像信号の垂直画素数を減じた数分のパルスとを重畳したパルスを有するゲートクロック信号を発生させるゲートクロック発生手段と、水平同期信号の立ち上がりのタイミングと一水平期間を２等分した際の１／２時間目のタイミングの２つのタイミングで立ち上がるパルスを有するオリジナル・クロックパルス信号に加え該オリジナル・クロックパルス信号と同一のパルス幅である間引き用クロックパルス信号を一水平期間内に発生させ、これらクロックパルス信号の発生を一水平期間毎に繰り返す間引きパルス発生回路と、該間引きパルス発生回路からの前記クロックパルス信号を受け入れて、前記オリジナル・クロックパルス信号中の全てのパルスと前記映像信号の垂直画素数から前記表示部の垂直画素数を減じた数分の前記間引き用クロックパルス信号のパルスとを重畳したパルスを有するゲートクロック信号を発生させるゲートクロック発生手段と、前記ゲートクロック発生手段からの前記ゲートクロック信号を受け入れて、前記ゲートクロック信号中の各パルスに対応してそれぞれが異なるタイミングでハイレベルとなり、かつ、このハイレベル期間の長さが等しい複数のゲート駆動信号を発生させるゲート駆動手段と、前記コピーパルス発生回路側と前記間引きパルス発生回路側のいずれの信号経路を前記ゲート駆動手段に接続するかを切り換えるための切り換えスイッチとを具備した駆動回路を有することを特徴とするものである。
また、前記表示装置がＴＦＴ型液晶表示装置であり、該ＴＦＴ型液晶表示装置の前記表示部の各画素に、ゲート線と前記各画素に対応する画素電極とからなる蓄積容量が設けられたことを特徴とする。
【００１７】
上述したように、本発明の表示装置は、ＣＳ  オンゲート構造の補助容量を持つ画像表示装置に対して支障なく適用することができる。したがって、本発明の表示装置をＴＦＴ型液晶表示装置とした場合、ＴＦＴ型液晶表示装置の表示部の各画素に、ゲート線と前記各画素に対応する画素電極とからなる蓄積容量を設けることができる。
【００１８】
【発明の実施の形態】
以下、本発明の一実施の形態を図１ないし図３を参照して説明する。
図１は本実施の形態の液晶表示装置（表示装置）の概略構成を示すブロック図である。本実施の形態の液晶表示装置は、拡大表示機能、縮小表示機能の双方を兼ね備えており、表示部の垂直画素数に対して少ない垂直画素数の映像信号、多い垂直画素数の映像信号のいずれにも対応し得るものである。
【００１９】
本実施の形態の液晶表示装置の駆動回路は、図１に示すように、カウンター１、コピー間引き判別回路２が設けられ、カウンター１の後段にパルス発生回路３（１点鎖線で示す、パルス発生手段）、ゲートクロック発生回路４（１点鎖線で示す、ゲートクロック発生手段）、ゲートドライバ５（ゲート駆動手段）、がそれぞれ設けられている。そして、この駆動回路からの出力、すなわちゲートドライバ５から出力されたゲート駆動信号Ｇ１、Ｇ２、…が表示部６に供給される構成となっている。表示部６には、例えばＴＦＴ−ＬＣＤパネルを用いることができる。また、本実施の形態の場合、拡大表示機能と縮小表示機能を兼ね備えているため、パルス発生回路３内にコピーパルス発生回路７と間引きパルス発生回路８とが設けられ、ゲートクロック発生回路４内にはコピーパルス発生回路７と間引きパルス発生回路８の各々に対応したアウトプット・イネーブル（以下、ＯＥと略記する）・ゲートクロック発生回路９、１０がそれぞれ設けられている。
【００２０】
また、コピー間引き判別回路２が映像信号の垂直画素数が表示部６の垂直画素数に対して少ないか、多いかを判断して、コピーパルス発生回路７側と間引きパルス発生回路８側のいずれの信号経路をゲートドライバ５に接続するかを切り換えるために、２つのゲートクロック発生回路９、１０とゲートドライバ５の間に切り換えスイッチ１１、１２がそれぞれ設けられている。
なお、本実施の形態でいう「コピー」とは拡大表示操作を意味し、「間引き」とは縮小表示操作を意味するものとする。
【００２１】
次に、上記構成の液晶表示装置の駆動回路の動作について、図１ないし図３を参照しながら説明する。この駆動回路は、倍速線順次駆動を行うものとする。
図１に示すように、コピー間引き判別回路２に、水平同期信号（ＨＤ）と垂直同期信号（ＶＤ）が入力され、一垂直期間中の水平同期信号のパルス数をカウントし、例えばＮＴＳＣ、ＰＡＬ等の表示方式を判別する。そして、表示部６の垂直画素数と映像信号の垂直画素数とを比較してコピーを行うか、間引きを行うかを判別し、コピーの場合には”Ｈｉｇｈ”の信号を、間引きの場合には”Ｌｏｗ”  の信号を出力し、各切り換えスイッチ１１、１２において、”Ｈｉｇｈ”の信号を受けた際には図１における「Ｈ」側、”Ｌｏｗ”  の信号を受けた際には「Ｌ」側に信号経路を切り換える。
【００２２】
最初に、入力される映像信号の垂直画素数が表示部６の垂直画素数よりも少なく、コピー（拡大表示）を行う場合を例に採り、以下、図２を用いて説明する。
まず、カウンター１において、基準クロックと水平同期信号とが入力され、水平同期信号が入力された後から次の水平同期信号が入力されるまでの間の基準クロック数をカウントし、そのカウント結果（図１にＣＮＴとして示す）をコピーパルス発生回路７に随時出力する。コピーパルス発生回路７ではＣＮＴがある一定の値に一致したときにパルスを出力する、すなわち所定の間隔毎にパルスを出力するように設定されており、図２に示すように、水平同期信号の立ち上がりのタイミングと一水平期間を３等分した際の１／３時間目のタイミングの２つのタイミングで立ち上がるパルスを有するオリジナルクロックパルス信号（図１にＣＬＫとして示す）を生成する。また、オリジナルクロックパルス信号とは別に、一水平期間を３等分した際の２／３時間目のタイミングで立ち上がるパルスを有する複製用の第２のクロックパルス信号（以下、単に複製用クロックパルス信号と記す、図１にＣＬＫ−２として示す）を生成する。
【００２３】
次に、ＯＥ・ゲートクロック発生回路９では、コピーパルス発生回路７からのオリジナル・クロックパルス信号ＣＬＫおよび複製用クロックパルス信号ＣＬＫ−２が入力されるとともに、ＯＥ信号が生成される。ＯＥ信号の一つの機能は、後述するゲートクロック信号生成の際にオリジナルクロックパルス信号ＣＬＫに複製用クロックパルス信号ＣＬＫ−２をある一つの水平期間の中で重畳するか否かを制御するためのものである。そこで、オリジナルクロックパルス信号ＣＬＫ中の全てのパルスと、複製用クロックパルス信号ＣＬＫ−２中の表示部６の垂直画素数から映像信号の垂直画素数を減じた数分のパルスとを重畳したパルスを有するゲートクロック信号（図１にＧ−ＣＬＫとして示す）を生成する。この際、図２に示す通り、ＯＥ信号はＯＥ信号のパルス波形が反転したものと複製用クロックパルス信号ＣＬＫ−２のパルスとが重畳されるように作用するため、結果として、ＯＥ信号のパルスがある箇所ではゲートクロック信号Ｇ−ＣＬＫ中に複製用クロックパルス信号ＣＬＫ−２のパルスが重畳されず、ＯＥ信号のパルスがない箇所では複製用クロックパルス信号ＣＬＫ−２のパルスが重畳されることになる。
【００２４】
次に、ゲートドライバ５には、ＯＥ・ゲートクロック発生回路９からのゲートクロック信号Ｇ−ＣＬＫおよびＯＥ信号が切り換えスイッチ１１を経て入力される。そして、ゲートクロック信号Ｇ−ＣＬＫ中の各パルスの立ち上がりのタイミングに対応してハイレベルが立ち上がり、次のパルスの立ち上がりのタイミングでローレベルに立ち下がるような波形を持つ複数のゲート駆動信号（図１にＧ１，Ｇ２，…として示す）を生成し、表示部６に出力する。ここでのＯＥ信号のもう一つの機能として、図２中のゲート駆動信号Ｇ２がゲートクロック信号の２個目のパルスでハイレベルに立ち上がった後、ＯＥ信号の立ち上がりによってゲート駆動信号Ｇ２がローレベルに立ち下がる。その後、これら複数のゲート駆動信号Ｇ１，Ｇ２，…によって表示部６の複数のゲート線の各々が駆動される。この際、ＳＴＡＲＴ信号がハイレベルとなり、かつゲートクロック信号の最初のパルスの立ち上がりのタイミングからゲート駆動信号Ｇ１の出力を開始する。すなわち、ＳＴＡＲＴ信号は、最初のライン（ＴＦＴ−ＬＣＤ表示部６の一番上の水平ライン）が出力されるタイミングを決定する信号である。
【００２５】
次に、映像信号の垂直画素数が表示部６の垂直画素数よりも多く、間引き（縮小表示）を行う場合を例に採り、以下、図３を用いて説明する。
カウンター１の作用はコピーの場合と共通であり、一つの水平同期信号から次の水平同期信号が入力されるまでの間の基準クロック数をカウントし、そのカウント結果ＣＮＴを間引きパルス発生回路８に随時出力する。間引きパルス発生回路８ではＣＮＴがある一定の値に一致したときにパルスを出力するように設定されており、図３に示すように、水平同期信号の立ち上がりのタイミングと一水平期間を２等分した際の１／２時間目のタイミングの２つのタイミングで立ち上がるパルスを有するオリジナルクロックパルス信号（図１にＣＬＫ’として示す）を生成する。このオリジナルクロックパルス信号ＣＬＫ’は、倍速線順次駆動方式元来のクロックパルス信号である。また同時に、オリジナルクロックパルス信号ＣＬＫ’中のパルスの間引きをどのタイミングで行うかを決定するパルスを有する間引き用の第２のクロックパルス信号（以下、単に間引き用クロックパルス信号と記す、図１にＣＬＫ’−２として示す）を出力する。
【００２６】
次に、ＯＥ・ゲートクロック発生回路１０では、間引きパルス発生回路８からのオリジナルクロックパルス信号ＣＬＫ’および間引き用クロックパルス信号ＣＬＫ’−２が入力されるとともに、間引き用クロックパルス信号ＣＬＫ’−２のパルスの立ち上がりのタイミングに同期したＯＥ信号（図１中にＯＥ’として示す）が生成される。ここで、オリジナルクロックパルス信号ＣＬＫ’中の全てのパルスと、間引き用クロックパルス信号ＣＬＫ’−２のパルスとを重畳したパルスを有するゲートクロック信号（図１にＧ−ＣＬＫ’として示す）を生成する。ただし、ここでのパルスの重畳とは、間引き用クロックパルス信号ＣＬＫ’−２の出力にインバータを入れて「ＮＯＴ」を取り、その結果とオリジナル・クロックパルス信号との「ＡＮＤ」を取ることを意味する。また、間引き用クロックパルス信号ＣＬＫ’−２のパルスの立ち上がりのタイミングに同期したＯＥ信号がハイレベルの期間、ゲートクロック信号Ｇ−ＣＬＫ’をローレベルに保持する。したがって、間引き用クロックパルス信号ＣＬＫ’−２のパルスがある箇所ではオリジナルクロックパルス信号ＣＬＫ’のパルスが間引かれ、間引き用クロックパルス信号ＣＬＫ’−２のパルスがない箇所ではオリジナルクロックパルス信号ＣＬＫ’のパルスがゲートクロック信号Ｇ−ＣＬＫ’中にそのまま残ることになる。
【００２７】
また、ゲートドライバ５の作用はコピーの場合と同様であり、ＯＥ・ゲートクロック発生回路１０からのゲートクロック信号Ｇ−ＣＬＫ’およびＯＥ信号が入力されると、ゲートクロック信号Ｇ−ＣＬＫ’中の各パルスの立ち上がりのタイミングに同期してハイレベルが立ち上がり、次のパルスの立ち上がりのタイミングでローレベルに立ち下がるような波形を持つ複数のゲート駆動信号（図１にＧ１，Ｇ２，…として示す）を生成し、表示部６に出力する。ここで、図３中のゲート駆動信号Ｇ１がゲートクロック信号の１個目のパルスでハイレベルに立ち上がった後、ＯＥ信号の立ち上がりによってゲート駆動信号Ｇ１がローレベルに立ち下がる。その後、これら複数のゲート駆動信号Ｇ１，Ｇ２，…によって表示部６の各ゲート線が駆動される。
【００２８】
本実施の形態の液晶表示装置においては、駆動回路が拡大表示、縮小表示のいずれにも対応することができ、拡大表示の場合、図２に示したように、一水平期間内に２本または３本のゲート線が駆動されることになり、表示部６上では１ライン分の同一の映像データが複数本のラインに表示されることになるため、表示部６の垂直画素数に対応した拡大表示が行われる。また、縮小表示の場合、倍速線順次駆動方式において元来用いられる一水平期間内に２つずつのパルスを有するオリジナル・クロックパルス信号の一部が間引かれることになり、表示部６の垂直画素数に対応した縮小表示が容易に行われる。
【００２９】
このように、本実施の形態の場合、拡大表示または縮小表示が行われる際、複数本のゲート線を駆動する各ゲート駆動信号Ｇ１、Ｇ２、…はそれぞれが異なるタイミングでハイレベルとなり、従来の拡大表示法のように隣接する２本のゲート線が同時にハイレベルとなることがないため、ＣＳ  オンゲート構造の補助容量を持つ液晶表示装置に対して支障なく適用することができる。さらに、上記複数のゲート駆動信号はハイレベル期間の長さが等しいため、表示部６に画像ムラが生じることがない。
【００３０】
また、ＯＥ・ゲートクロック発生回路９、１０において、ゲートクロック信号Ｇ−ＣＬＫ、Ｇ−ＣＬＫ’中に複製用クロックパルス信号ＣＬＫ−２またはＯＥ信号を重畳するタイミングを、表示部６の垂直画素数にわたって均等に割り振ることによって、表示部６の画面全体にわたって画質が均一な映像を得ることができる。
【００３１】
なお、本発明の技術範囲は上記実施の形態に限定されるものではなく、本発明の趣旨を逸脱しない範囲において種々の変更を加えることが可能である。例えば上記実施の形態では拡大表示、縮小表示の双方の機能を兼ね備えた液晶表示装置の例について説明したが、一方の機能のみを備えれば足りるのであればそれに応じた回路構成とすればよい。また、本発明は、ＴＦＴ型液晶表示装置、強誘電液晶や反強誘電液晶を用いた液晶表示装置に応用可能である。
【００３２】
【発明の効果】
以上、詳細に説明したように、本発明の表示装置によれば、拡大表示または縮小表示が行われる際、複数本のゲート線を駆動する複数のゲート駆動信号はそれぞれが異なるタイミングでハイレベルとなり、従来の拡大表示法のように隣接する２本のゲート線が同時にハイレベルとなるようなことがないため、ＣＳ  オンゲート構造の補助容量を持つ表示装置に対して支障なく適用することができる。さらに、上記複数のゲート駆動信号はハイレベル期間の長さが等しいため、表示部に画像ムラが生じることがなく、画質の均一性に優れた表示装置を得ることができる。
【図面の簡単な説明】
【図１】本発明の一実施の形態である液晶表示装置の概略構成を示すブロック図である。
【図２】同装置において、拡大表示を行う場合の各信号のタイミングチャートである。
【図３】同、縮小表示を行う場合の各信号のタイミングチャートである。
【図４】従来の拡大表示法を説明するための図であり、図４（Ａ）は通常モード時のタイミングチャート、図４（Ｂ）は拡大モードの２倍表示時のタイミングチャート、である。
【符号の説明】
１  カウンター
２  コピー間引き判別回路
３  パルス発生回路（パルス発生手段）
４  ゲートクロック発生回路（ゲートクロック発生手段）
５  ゲートドライバ（ゲート駆動回路）
６  表示部
７  コピーパルス発生回路
８  間引きパルス発生回路
９，１０  ＯＥ・ゲートクロック発生回路
１１，１２  切り換えスイッチ
ＣＬＫ，ＣＬＫ’  オリジナルクロックパルス信号
ＣＬＫ−２  複製用クロックパルス信号
ＣＬＫ’−２  間引き用クロックパルス信号
Ｇ−ＣＬＫ，Ｇ−ＣＬＫ’  ゲートクロック信号
Ｇ１，Ｇ２，…  ゲート駆動信号
【図１】
0003602343.tif 000002
【図２】
0003602343.tif 000003
【図３】
0003602343.tif 000004
【図４】
0003602343.tif 000005